(57)【特許請求の範囲】
【請求項１】
ブラシ毛群又はスポンジを有する清掃部が柄部の前端側に備えられ、且つ、ガス器具の炎口に挿通可能な炎口清掃用凸部が柄部の後端側に備えられているガス器具用清掃具であって、
柄部の前端側よりも横断面寸法の大きな把持部を柄部の後端側に形成するように、柄部の前後長さ方向及び柄部の左右幅方向に交差する軸心周りで回転可能な回転台座が、柄部の後端側に備えられ、
前記炎口清掃用凸部が、それの先端が前記回転台座の回転軸芯方向に沿う方向視で回転台座の外縁部よりも外方に位置する状態で回転台座に備えられ、
前記回転台座の回転操作によって、前記炎口形成用凸部が前方に向く不使用姿勢と、前記炎口清掃用凸部が後方を向き、且つ、炎口清掃用凸部の先端が前記柄部の後端よりも後方に位置する使用姿勢とを現出可能に構成され、前記炎口清掃用凸部が使用姿勢及び不使用姿勢にあるとき、前記回転台座が把持部における手指と接触する把持部位の外面を形成する構成にしてあるガス器具用清掃具。
【請求項２】
前記把持部の前方側には、前記炎口形成用凸部を不使用姿勢で収納可能な凹部が形成され、前記回転台座と柄部との対向面間には、回転台座の回転範囲を規制する回転範囲規制手段と、前記回転台座が不使用姿勢及び使用姿勢になったときに係合して柄部に対する回転台座の姿勢を保持する姿勢保持手段とが設けられている請求項１記載のガス器具用清掃具。
【請求項３】
ブラシ毛群又はスポンジを有する清掃部が柄部の前端側に備えられ、且つ、ガス器具の炎口に挿通可能な炎口清掃用凸部が柄部の後端側に備えられているガス器具用清掃具であって、
柄部の前端側よりも横断面寸法の大きな把持部を柄部の後端側に形成するように、柄部の前後長さ方向及び柄部の左右幅方向に交差する軸心周りで回転可能な回転台座が、把持部の外面を形成する状態で柄部の後端側に備えられ、
前記炎口清掃用凸部が、それの先端が前記回転台座の回転軸芯方向に沿う方向視で回転台座の外縁部よりも外方に位置する状態で回転台座に備えられ、
前記回転台座の回転操作によって、前記炎口清掃用凸部が後方を向き、且つ、炎口清掃用凸部の先端が前記柄部の後端よりも後方に位置する使用姿勢を現出可能に構成され、
前記柄部の後端側には、支持体側に備えられたフック部が挿通状態で係合可能な被支持用挿通部が形成されているとともに、
前記回転台座には、前記炎口形成用凸部が前方を向く不使用姿勢において前記被支持用挿通部に重なる回転規制用挿通部が形成され、前記不使用姿勢で両挿通部に挿通されたフック部と回転規制用挿通部の周縁部との接当によりフック部との係合状態で回転台座の回転を規制するように構成されているガス器具用清掃具。
【発明の詳細な説明】
【技術分野】
【０００１】
本発明は、家庭の台所や飲食店のキッチン等に設置されたガスコンロ等のガス器具を清掃する場合等に使用されるガス器具用清掃具に関し、特に、ブラシ毛群又はスポンジを有する清掃部が柄部の前端側に備えられ、且つ、ガス器具の炎口に挿通可能な炎口清掃用凸部が柄部の後端側に備えられているガス器具用清掃具に関する。
【背景技術】
【０００２】
従来、この種のガス器具用清掃具としては、柄部の下面部の略全長に亘って柄部の長手方向に沿う凹溝を形成するとともに、針状体からなるキリ部（炎口形成用凸部の一例）を先端側に有する炎口清掃用部材の基端部を凹溝内の前後中間部に横軸芯周りで揺動自在に枢着することによって、その炎口清掃用部材の揺動操作でもって、炎口清掃用部材を前方側に向けた姿勢で凹溝内に収納した不使用姿勢から、炎口清掃用部材を後方側に向けて先端側のキリ部のみを柄部の後端から突出させた使用姿勢を現出可能にしたものがある（下記特許文献１参照）。
【先行技術文献】
【特許文献】
【０００３】
【特許文献１】実開昭５３−１５２４５５号公報
【発明の概要】
【発明が解決しようとする課題】
【０００４】
ところが、上記従来のガス器具用清掃具では、前記使用姿勢において炎口清掃用部材のうちのキリ部を除く他部が柄部の凹溝内に固定等されることなく単に配置させているだけであるため、炎口を清掃する作業でキリ部に生じる押圧力等の外力で炎口清掃用部材の姿勢が変化し易く、また、キリ部に生じる外力が柄部を介して間接的に作業者の手指に伝わるために清掃状態を敏感には感じ難く、これらのことから、作業性の面であまり良くない問題があった。更に、キリ部を柄部の凹溝内に収納する等の操作に、キリ部を直接に触れる必要があるため、その操作の際に作業者が怪我し易い問題もあった。
【０００５】
本発明は、上述の如き実情に鑑みてなされたものであって、その主たる課題は、合理的な改良により、作業性が高くて作業者の怪我の発生も抑止し得るガス器具用清掃具を提供する点にある。
【課題を解決するための手段】
【０００６】
本発明の第１特徴構成は、ガス器具用清掃具に係り、その特徴は、
ブラシ毛群又はスポンジを有する清掃部が柄部の前端側に備えられ、且つ、ガス器具の炎口に挿通可能な炎口清掃用凸部が柄部の後端側に備えられているガス器具用清掃具であって、
柄部の前端側よりも横断面寸法の大きな把持部を柄部の後端側に形成するように、柄部の前後長さ方向及び柄部の左右幅方向に交差する軸心周りで回転可能な回転台座が、柄部の後端側に備えられ、
前記炎口清掃用凸部が、それの先端が前記回転台座の回転軸芯方向に沿う方向視で回転台座の外縁部よりも外方に位置する状態で回転台座に備えられ、
前記回転台座の回転操作によって、前記炎口形成用凸部が前方に向く不使用姿勢と、前記炎口清掃用凸部が後方を向き、且つ、炎口清掃用凸部の先端が前記柄部の後端よりも後方に位置する使用姿勢とを現出可能に構成され、前記炎口清掃用凸部が使用姿勢及び不使用姿勢にあるとき、前記回転台座が把持部における手指と接触する把持部位の外面を形成する構成にしてある点にある。
【０００７】
上記構成によれば、炎口清掃用凸部を備えた回転台座が把持部の外面を形成する状態で柄部の後端側に備えられているから、その回転台座の構造を利用する形態で把持部を効率的に形成することができながら、作業者が作業する際の把持部への把持力（グリップ力）を利用する形態で前記炎口清掃用凸部が後方を向き、且つ、炎口清掃用凸部の先端が前記柄部の後端よりも後方に位置する使用姿勢の保持力を高めることができるとともに、炎口清掃用凸部に生じる外力をより直接的に作業者の手指に伝達させることができる。
【０００８】
従って、炎口を清掃する作業で炎口清掃用凸部に生じる押圧力等の外力で前記使用姿勢から姿勢変化が生じるのを効果的且つ効率的に抑止することができるとともに、清掃状態を敏感に感じ易くすることができ、清掃作業の作業性を効果的且つ効率的に高めることができる。
【０００９】
また、前記回転台座を回転操作することによって炎口清掃用凸部に触れない状態で使用姿勢からの姿勢変化をすることがきるから、姿勢変更時に炎口清掃用凸部に手指が触れることによる作業者の怪我の発生も抑止することができる。
【００１０】
本発明の第２特徴構成は、前記把持部の前方側には、前記炎口形成用凸部を不使用姿勢で収納可能な凹部が形成され、前記回転台座と柄部との対向面間には、回転台座の回転範囲を規制する回転範囲規制手段と、前記回転台座が不使用姿勢及び使用姿勢になったときに係合して柄部に対する回転台座の姿勢を保持する姿勢保持手段とが設けられている点にある。
【００１１】
上記構成によれば、前記回転台座の回転操作による安全で高い操作性を維持しながら、前記炎口清掃用凸部が前記凹部に収納された安全性の高い前記不使用姿勢と前記使用姿勢との切り換えを可能にすることができる。
【００１２】
本発明の第３特徴構成は、ブラシ毛群又はスポンジを有する清掃部が柄部の前端側に備えられ、且つ、ガス器具の炎口に挿通可能な炎口清掃用凸部が柄部の後端側に備えられているガス器具用清掃具であって、
柄部の前端側よりも横断面寸法の大きな把持部を柄部の後端側に形成するように、柄部の前後長さ方向及び柄部の左右幅方向に交差する軸心周りで回転可能な回転台座が、把持部の外面を形成する状態で柄部の後端側に備えられ、
前記炎口清掃用凸部が、それの先端が前記回転台座の回転軸芯方向に沿う方向視で回転台座の外縁部よりも外方に位置する状態で回転台座に備えられ、
前記回転台座の回転操作によって、前記炎口清掃用凸部が後方を向き、且つ、炎口清掃用凸部の先端が前記柄部の後端よりも後方に位置する使用姿勢を現出可能に構成され、
前記柄部の後端側には、支持体側に備えられたフック部が挿通状態で係合可能な被支持用挿通部が形成されているとともに、
前記回転台座には、前記炎口形成用凸部が前方を向く不使用姿勢において前記被支持用挿通部に重なる回転規制用挿通部が形成され、前記不使用姿勢で両挿通部に挿通されたフック部と回転規制用挿通部の周縁部との接当によりフック部との係合状態で回転台座の回転を規制するように構成されている点にある。
【００１３】
上記構成によれば、支持体側のフック部と係合させた保管状態の態様を利用する形態で、その保管状態で不測に前記不使用姿勢から前記使用姿勢になる等の不具合を抑止することができる。
【図面の簡単な説明】
【００１４】
【図１】（ａ）炎口清掃用凸部を不使用姿勢とした状態の清掃具の側面図、（ｂ）炎口清掃用凸部を不使用姿勢とした状態の清掃具の底面図
【図２】（ａ）炎口清掃用凸部を使用姿勢とした状態の清掃具の側面図、（ｂ）炎口清掃用凸部を使用姿勢とした状態の清掃具の底面図
【図３】（ａ）清掃具の分解側面図、（ｂ）清掃具の分解底面図
【図４】（ａ）炎口清掃用凸部を使用姿勢とした状態の把持部の縦断図、（ｂ）（ａ）のＩＶｂ−ＩＶｂ線断面図、（ｃ）（ａ）のＩＶｃ−ＩＶｃ線断面図
【図５】炎口清掃用凸部を不使用姿勢とした状態の把持部の縦断図
【図６】（ａ）炎口清掃用凸部を不使用姿勢としたときの使用状態を示す説明図、（ｂ）炎口清掃用凸部を使用姿勢としたときの使用状態を示す説明図
【発明を実施するための形態】
【００１５】
図１〜図５は、家庭や厨房等に設置されたガスコンロ等のガス器具を清掃する場合に使用される清掃具を示し、合成樹脂等からなるやや細長い柄部１の前端側には、金属製のブラシ毛２群を有する清掃部３が備えられているとともに、柄部１の後端側には、ガス器具の炎口に挿通可能な炎口清掃用凸部４が柄部１の後端から後方に突出可能な状態（図２を参照）で備えられ、更に、柄部１の後端部には、スクレーパーとして使用されるヘラ部５が備えられている。
【００１６】
また、柄部１の後端側には、柄部１の前端側よりも横断面寸法の大きな把持部６が備えられている。当該把持部６は、清掃作業時に作業者の指腹が接する底側（図中下方側）を膨出させる形態で前端側よりも横断面寸法を大きくして構成されている（図６を参照）。
【００１７】
そして、把持部６の下方側には、柄部１の長手方向Ｘに交差する軸心周り（本例では、柄部１の長手方向（前後長さ方向）Ｘ及び柄部１の左右幅方向Ｙに直交する軸芯Ｐ周り）で回転可能な回転台座７が把持部６の外面（すなわち、作業者の手指が接する面）を形成する状態で備えられている。
【００１８】
また、当該回転台座７の回転軸芯Ｐ方向に沿う方向視の外方側には、前記炎口清掃用凸部４がそれの先端が回転台座７の回転軸芯Ｐ方向に沿う方向視で回転台座７の外縁部よりも外方に位置する状態（すなわち、炎口清掃用凸部４の先端が回転台座７の外縁部から外方に突出する状態）で設けられており、回転台座７の回転操作によって、炎口清掃用凸部４が後方を向き、且つ、炎口清掃用凸部４の先端が柄部１の後端よりも後方に位置する使用姿勢を現出可能に構成されている。なお、回転台座７は、側面視において下方窄まりの台形状をなし、且つ、底面視で略長方形状をなす態様に構成されている。
【００１９】
すなわち、当該清掃具は、炎口清掃用凸部４を柄部１の後端から後方に突出させた図２、図６（ｂ）示す使用姿勢と、炎口清掃用凸部４を柄部１に重合する状態に前方に向けた図１、図６（ａ）に示す不使用姿勢（炎口清掃用凸部４を柄部１の後端から後方に突出させない姿勢の一例）とを回転台座７の回転操作によって切り換え可能に構成されているとともに、その両姿勢において作業者の把持力を姿勢保持力に利用可能に構成されている。
【００２０】
前記回転台座７の長手方向の一端部７Ａには、前記炎口清掃用凸部４を構成する金属製の針状体からなるキリ部材９がそれの基端部を埋め込んだ状態で備えられている。また、回転台座７の他端部７Ｂには、柄部１を構成する柄部材１０の後端側に壁掛けフック等の支持体側のフック部用の係合用挿通穴１１（被支持用挿通部の一例）が形成されていることに対して、その挿通穴１１の長手方向Ｘの前半領域に対して前記不使用姿勢において重合する切り欠き８（回転規制用挿通部の一例）が形成されている。
【００２１】
つまり、当該清掃具は、前記不使用姿勢で柄部材１０の係合用挿通穴１１及び回転台座の切り欠き８に挿通されたフック部とその切り欠きの周縁部（回転規制片部の一例）との接当によりフック部との係合状態で回転台座７の回転を規制するように構成されている。なお、前記回転台座７の長手方向の両端部７Ａ、７Ｂの各々は、外方ほど上方に位置する傾斜面部に形成されている。
【００２２】
前記回転台座７の上面部と柄部材１０の後端側の下面部との対向面間には、回転台座７と柄部材１０とを回転軸芯Ｐ方向で相対回転自在な状態で連結する連結手段１２が設けられている。当該連結手段１２は、柄部材１０の後端側の下面部に突出形成された略円筒状の嵌合凸部１３と、前記回転台座７の上面部に形成された略円筒状の被嵌合凹部１４とから構成されている。
【００２３】
前記嵌合凸部１３は、連結操作及び離脱操作時の弾性変形を可能にする隙間Ｓを空けた状態で配置された一対の半円筒状部１３Ａ、１３Ａから構成されているとともに、嵌合凸部１３の外周面の高さ方向の中間部分には、嵌合凹部１４の深さ方向の中間部分に形成されたリング状の凸条１４ａ（凸部の一例）が入り込むリング状の凹条１３ａ（凹部の一例）が形成されている。前記凸条１４ａと前記凹条１３ａは、柄部材１０と回転台座７の離脱を抑止する抜け止め手段を構成する。
【００２４】
また、回転台座７の上面部と柄部材１０の後端側の下面部との対向面間には、回転台座７の回転範囲を規制する回転範囲規制手段１５が設けられている。当該回転範囲規制手段１５は、回転台座７の上面部の横幅方向Ｙの略半領域で回転軸芯Ｐ（被嵌合凹部１４の中心）を中心とする円弧に沿う一端側１６ｂ、１７ｂが開口された部分円弧状の一対の凹溝１６、１７と、柄部材１０の後端側の下面部における嵌合凸部１３よりも前側位置の幅方向略中央位置において柄部材１０と回転台座７との連結状態で前記凹溝１６、１７に入り込むように形成された凸部１８とから構成されている。
【００２５】
つまり、当該清掃具は、前記不使用姿勢から前記使用姿勢にするときには、使用姿勢になったときに前記凸部１８の外面と前記凹溝１７の他端部１７ａが接当してそれ以上の相対回転を規制し、且つ、前記使用姿勢から前記不使用姿勢にするときには、不使用姿勢になったときに前記凸部１８の外面と前記凹溝１６の他端部１６ａが接当してそれ以上の相対回転を規制する。
【００２６】
更に、回転台座７の上面部と柄部材１０の後端側の下面部との対向面間には、柄部材１０に対する回転台座の姿勢が所定姿勢（詳しくは、前記不使用姿勢と前記使用姿勢の各々）になったときに係合して柄部材１０に対する回転台座７の姿勢を保持する姿勢保持手段１９が設けられている。
【００２７】
当該姿勢保持手段１９を構成するのに、回転台座７の上面部における被嵌合凹部１４の周縁部（軸芯Ｐを中心とする径方向で被嵌合凹部１４と回動範囲規制用の凸部１８との間に位置する部位の一例）に略半円弧状の凹溝２０（凹部の一例）を形成するとともに、この凹溝２０の両端部の底部の各々に径方向に沿う１本の凸条２１（凸部の一例）を形成し、更に、柄部材１０の下面部における嵌合凸部１３の周縁部の前端部には、柄部材１０と回転台座７との連結状態で回転台座７を前記使用姿勢及び前記不使用姿勢にしたときに前記凸条２１が乗り越えて入り込む凹溝（凹部の一例）を対向面間に形成する一対の凸条２２（凸部の一例）が形成されている。
【００２８】
また、前記把持部６の前半領域には、回転台座７を前記不使用姿勢にしたときに炎口清掃用凸部４が側方から入り込む側面開口の凹部２３を有する収納部２４が前記把持部６の外面を形成する状態で備えられている。当該収納部２４の下面部は、回転台座７の下面部と同じ又は略同じ高さ位置となるように構成されており、作業者の使用時において作業者の手に違和感が生じないようになっている。
【００２９】
前記収納部２４の後端部と柄部材１０の後端部の各々には、回転台座７の長手方向の両端部７Ａ、７Ｂの傾斜面に沿う又は略沿う傾斜面を備えた抜け止め片２５、２６（抜け止め手段の一例）が突出形成されている。なお、２７は炎口清掃用凸部に脱着自在な合成樹脂製等の保護キャップである。
【００３０】
［その他の実施形態］
（１）前述の実施形態では、前記清掃部３が金属製のブラシ毛群から構成されている場合を例に示したが、樹脂製のブラシ毛群やスポンジ等から構成されていてもよい。
【００３１】
（２）前述の実施形態では、炎口清掃用凸部４が、金属製の針状体から構成されている場合を例に示したが、樹脂製の突起等から構成されていてもよい。
【００３２】
（３）前述の実施形態では、前記回転台座７の回転規制用挿通部が両側に回動規制片部を形成する略Ｕ字状の切り欠き８から構成されている場合を例に示したが、一側に回動規制片部を形成する切り欠きや貫通穴等から構成されていてもよい。
【００３３】
（４）前述の実施形態では、前記連結手段１２は、柄部材１０の後端側の下面部に突出形成された略円筒状の嵌合凸部１３と、前記回転台座７の上面部に形成された略円筒状の被嵌合凹部１４とから構成されている場合を例に示したが、例えば、これとは逆に、柄部材１０に形成された被嵌合凹部と、回転台座に形成された嵌合凸部から構成されている等であってもよい。
【００３４】
（５）回転範囲規制手段１５、姿勢保持手段１９、抜け止め手段の具体的構成は、前述の実施形態で示した構造に限らず、種々の構成変更が可能である。例えば、回転範囲規制手段１５を構成するのに、炎口清掃用凸部４を収納する凹部２３の深さを浅くすることによって炎口清掃用凸部４と収納用の凹部２３の底部との接当により回転を規制するようにしてもよい。
【符号の説明】
【００３５】
１        柄部
２        ブラシ毛
３        清掃部
４        炎口清掃用凸部
６        把持部
７        回転台座
８        回転規制用挿通部
１１      被支持用挿通部
２３      凹部
Ｐ        軸心
【図１】
0005385705.tif 000002
【図２】
0005385705.tif 000003
【図３】
0005385705.tif 000004
【図４】
0005385705.tif 000005
【図５】
0005385705.tif 000006
【図６】
0005385705.tif 000007